(57)【要約】【課題】手動式カードリーダ内に一部分が配置された状態のカードを保持することができるカード保持機構を備える場合であっても、カードの傷の発生を抑制することができる手動式カードリーダを提供すること。【解決手段】カード２を手動で移動させて、カード２に記録された情報の再生を行う手動式カードリーダ１は、手動式カードリーダ１内に一部分が配置された状態のカード２を保持するカード保持機構２３、２８を備えている。カード保持機構２３、２８は、カード２を保持するためにカード２の表面に当接するとともにカード２の移動時に回転可能な回転部材２６を備えている。【選択図】図２
2010015362.tif 000002
【特許請求の範囲】
【請求項１】
カードを手動で移動させて、前記カードに記録された情報の再生および／または前記カードへの情報の記録を行う手動式カードリーダにおいて、
前記手動式カードリーダ内に一部分が配置された状態の前記カードを保持するカード保持機構を備え、
前記カード保持機構は、前記カードを保持するために前記カードの表面に当接するとともに前記カードの移動時に回転可能な回転部材を備えることを特徴とする手動式カードリーダ。
【請求項２】
前記カード保持機構は、前記回転部材としての球体と、前記球体を前記カードの表面に向かって付勢する付勢部材とを備えることを特徴とする請求項１記載の手動式カードリーダ。
【請求項３】
前記カード保持機構は、前記カードの一方の表面に当接する前記球体と、前記カードの他方の表面に当接する当接壁部とを備えることを特徴とする請求項２記載の手動式カードリーダ。
【請求項４】
前記カードは、磁気情報が記録された磁気ストライプを表面に有する磁気カードであることを特徴とする請求項１から３いずれかに記載の手動式カードリーダ。
【請求項５】
前記カードの短手幅方向の一端面が当接する当接面と前記カードの厚さ方向における前記カードの両側を案内するガイド面とから構成されるカード通過溝と、前記カード通過溝の内部に突出して前記磁気ストライプに当接する磁気ヘッドとを有する磁気情報再生部と、
前記カードの移動方向で前記磁気情報再生部に隣接配置されるとともに前記カード保持機構が配置され前記磁気ヘッドによる磁気情報再生後の前記カードを保持するカード保持部とを備え、
前記カードの短手幅方向における前記カード通過溝の深さは、前記カードの短手幅よりも浅く形成され、前記カードに記録された磁気情報の再生時における前記カードの前記短手幅方向の他端面側が、前記手動式カードリーダの外部に露出することを特徴とする請求項４記載の手動式カードリーダ。
【請求項６】
前記磁気情報再生部と前記カード保持部とを有する複数のカード処理部が前記カードの厚さ方向で隣接するように配置されていることを特徴とする請求項５記載の手動式カードリーダ。
【請求項７】
前記カード通過溝の長手方向が略上下方向となるように配置され、
前記カードに記録された磁気情報の再生時における前記カードの移動方向が下方向であることを特徴とする請求項５または６記載の手動式カードリーダ。
【発明の詳細な説明】
【技術分野】
【０００１】
本発明は、手動でカードの操作を行う手動式カードリーダに関する。
【背景技術】
【０００２】
従来から、手動でカードを移動させながら、カードに記録された磁気情報を再生する手動式カードリーダが利用されている。この種の手動式カードリーダとして、カードの短手幅よりも浅く形成された溝状のカード通路に沿ってカードを移動させながらカードの磁気情報を再生するいわゆるスワイプ式のカードリーダが知られている（たとえば、特許文献１参照）。
【０００３】
この特許文献１に記載の手動式カードリーダでは、カード通路の一端側に閉口部が形成され、カード通路の他端側に開口部が形成されており、閉口部側から開口部に向かってカードを移動させながらカードの磁気情報を再生している。また、この手動式カードリーダでは、カードは、磁気情報再生時の一連の動作で開口部からそのまま抜き取られる。
【０００４】
【特許文献１】特開平７−２４４７０９号公報
【発明の開示】
【発明が解決しようとする課題】
【０００５】
近年、手動式カードリーダの用途は多様化しており、特定の分野では、磁気情報の再生等の所定の処理を行った後に、手動式カードリーダ内に一部分が配置された状態のカードを保持することができる手動式カードリーダが求められている。しかしながら、カードを保持するためのカードの保持手段を単純に設けたのでは、保持手段によって移動するカードに傷が生じるおそれがある。
【０００６】
そこで、本発明の課題は、手動式カードリーダ内に一部分が配置された状態のカードを保持することができるカード保持機構を備える場合であっても、カードの傷の発生を抑制することができる手動式カードリーダを提供することにある。
【課題を解決するための手段】
【０００７】
上記の課題を解決するため、本発明は、カードを手動で移動させて、カードに記録された情報の再生および／またはカードへの情報の記録を行う手動式カードリーダにおいて、手動式カードリーダ内に一部分が配置された状態のカードを保持するカード保持機構を備え、カード保持機構は、カードを保持するためにカードの表面に当接するとともにカードの移動時に回転可能な回転部材を備えることを特徴とする。
【０００８】
本発明の手動式カードリーダは、手動式カードリーダ内に一部分が配置された状態のカードを保持するカード保持機構を備えている。また、カード保持機構は、カードを保持するためにカードの表面に当接するとともにカードの移動時に回転可能な回転部材を備えている。そのため、カード保持機構がカードを保持する際、および／または、カード保持機構に保持されたカードを移動させる際には、カードの表面に当接する回転部材が回転する。したがって、本発明では、手動式カードリーダ内に一部分が配置された状態のカードを保持することができるカード保持機構を手動式カードリーダが備える場合であっても、カードの傷の発生を抑制することができる。
【０００９】
本発明において、カード保持機構は、回転部材としての球体と、球体をカードの表面に向かって付勢する付勢部材とを備えることが好ましい。このように構成すると、球体に当接するカードを様々な方向へ移動させてもカードの傷の発生を抑制することができる。また、カード保持機構の構成を簡素化することができ、カード保持機構を小型化することが可能になる。また、この場合には、カード保持機構は、カードの一方の表面に当接する球体と、カードの他方の表面に当接する当接壁部とを備えることが好ましい。このように構成すると、カード保持機構の構成をさらに簡素化することができる。
【００１０】
本発明において、カードは、たとえば、磁気情報が記録された磁気ストライプを表面に有する磁気カードである。
【００１１】
本発明において、たとえば、手動式カードリーダは、カードの短手幅方向の一端面が当接する当接面とカードの厚さ方向におけるカードの両側を案内するガイド面とから構成されるカード通過溝と、カード通過溝の内部に突出して磁気ストライプに当接する磁気ヘッドとを有する磁気情報再生部と、カードの移動方向で磁気情報再生部に隣接配置されるとともにカード保持機構が配置され磁気ヘッドによる磁気情報再生後のカードを保持するカード保持部とを備え、カードの短手幅方向におけるカード通過溝の深さは、カードの短手幅よりも浅く形成され、カードに記録された磁気情報の再生時におけるカードの短手幅方向の他端面側が、手動式カードリーダの外部に露出する。このように構成すると、いわゆるスワイプ式のカードリーダであっても、磁気情報の再生後に、手動式カードリーダ内に一部分が配置された状態のカードを保持することができる。
【００１２】
本発明において、磁気情報再生部とカード保持部とを有する複数のカード処理部がカードの厚さ方向で隣接するように配置されていることが好ましい。このように構成すると、複数のカード処理部で磁気情報の再生を行うことができるため、手動式カードリーダの使い勝手を向上させることができる。
【００１３】
本発明において、手動式カードリーダは、カード通過溝の長手方向が略上下方向となるように配置され、カードに記録された磁気情報の再生時におけるカードの移動方向が下方向であることが好ましい。このように構成すると、磁気情報の再生時に、ユーザはカードを一定速度で移動させやすくなるため、磁気情報の再生時のエラー率を低減することができる。
【発明の効果】
【００１４】
以上のように、本発明の手動式カードリーダでは、内部に一部分が配置された状態のカードを保持することができるカード保持機構を備える場合であっても、カードの傷の発生を抑制することができる。
【発明を実施するための最良の形態】
【００１５】
以下、本発明の実施の形態を図面に基づいて説明する。
【００１６】
（手動式カードリーダの概略構成）
図１は、本発明の実施の形態にかかる手動式カードリーダ１の斜視図である。図２は、図１に示す手動式カードリーダ１の内部の構成を正面から示す図である。なお、以下の説明では、図１のＸ１方向側を「左」、Ｘ２方向側を「右」、Ｙ１方向側を「手前（前）」、Ｙ２方向側を「奥（後ろ）」、Ｚ１方向側を「上」、Ｚ２方向側を「下」とする。
【００１７】
本形態の手動式カードリーダ１（以下、「カードリーダ１」とする。）は、ユーザが手動でカード２を操作してカード２に記録された磁気情報の再生を行うための装置である。具体的には、カードリーダ１は、いわゆるスワイプ式のカードリーダである。本形態では、図１に示すように、カードリーダ１の上部から下端側に向かって（すなわち、下側に向かって）ユーザがカード２を移動させながらカード２の磁気情報を再生し、磁気情報再生後にカードリーダ１の下端側まで移動したカード２をユーザが手前側に向かって引き抜くように、カードリーダ１が構成されている。すなわち、カードリーダ１は、図１に示すように、上下方向を長手方向とする略直方体状に形成されている。また、本形態では、左右方向がカード２の厚さ方向であり、前後方向がカード２の短手幅方向（幅方向）であり、上下方向がカード２の長手幅方向（長さ方向）である。
【００１８】
カードリーダ１は、図２に示すように、カード２の磁気情報を再生するための磁気ヘッド３を有する２個の磁気情報再生部４、５を備えている。磁気情報再生部４、５は、本体ケース６の内部に配置されている。また、磁気情報再生部４、５は、左右方向で隣接するように配置されている。具体的には、磁気情報再生部４が右側に配置され、磁気情報再生部５が左側に配置されている。
【００１９】
磁気情報再生部４の下方には、磁気情報再生後のカード２を保持するカード保持部８が、上下方向で磁気情報再生部４に隣接するように配置されている。同様に、磁気情報再生部５の下方には、磁気情報再生後のカード２を保持するカード保持部９が、上下方向で磁気情報再生部５に隣接するように配置されている。このように、本形態では、磁気情報再生部４およびカード保持部８を有するカード処理部１１と、磁気情報再生部５およびカード保持部９を有するカード処理部１２とが左右方向で隣接するように配置されている。
【００２０】
カード２は、たとえば、厚さが０．７〜０．８ｍｍ程度の矩形状の塩化ビニール製のカードである。このカード２の表面には、磁気情報が記録される磁気ストライプ２ａ（図４参照）が形成されている。すなわち、カード２は、磁気カードである。磁気ストライプ２ａは、カード２の長さ方向を長手方向とする細長い長方形状に形成されている。また、この磁気ストライプ２ａは、短手幅方向におけるカード２の中心位置からずれた位置に形成されている。なお、カード２は、厚さが０．１８〜０．３６ｍｍ程度のＰＥＴ（ポリエチレンテレフタレート）カードや、所定の厚さの紙カード等であっても良い。
【００２１】
本体ケース６は、磁気情報再生部４が収納される第１ケース体１５と、磁気情報再生部５が収納される第２ケース体１６とを備えている。第１ケース体１５および第２ケース体１６は、奥側が開口する容器状に形成されている。第２ケース体１６には、第１ケース体１５の固定部が形成されており、第１ケース体１５は、第２ケース体１６に固定されている。また、奥側に配置される第１ケース体１５の開口部および第２ケース体１６の開口部は、蓋体１７によって塞がれている。蓋体１７の下端には、第１ケース体１５、第２ケース体１６の倒れを防止するための倒れ防止板１８が取り付けられている。
【００２２】
図１に示すように、第１ケース体１５の前面には、カード２が通過するスリット１５ａが形成されている。具体的には、上下方向を長手方向とするスリット１５ａが第１ケース体１５の前面に形成されている。また、第１ケース体１５の上面には、カード２を挿入するためのカード挿入口１５ｂが形成されている。具体的には、スリット１５ａの上端に繋がるカード挿入口１５ｂが第１ケース体１５の上面に形成されている。
【００２３】
同様に、第２ケース体１６の前面には、カード２が通過するスリット１６ａが上下方向を長手方向として形成されている。また、第２ケース体１６の上面には、スリット１６ａの上端に繋がるカード挿入口１６ｂが形成されている。
【００２４】
なお、第１ケース体１５の下端側には、カード保持部８に配置される後述のカード保持機構２３の一部を構成するカード保持溝部１５ｃ（図３（Ｂ）参照）が形成されている。同様に、第２ケース体１６の下端側にも、カード保持部９に配置される後述のカード保持機構２８の一部を構成するカード保持溝部（図示省略）が形成されている。カード保持溝部１５ｃの詳細な構成については後述する。
【００２５】
（磁気情報再生部の構成）
図２に示すように、磁気情報再生部４は、磁気ヘッド３に加え、カード２が通過するカード通過溝２０ａが形成されたガイドブロック２０を備えている。ガイドブロック２０は、略直方体状に形成され、上下方向を長手方向として蓋体１７に固定されている。
【００２６】
磁気ヘッド３は、上下方向におけるカード通過溝２０ａの略中心位置に配置されている。また、磁気ヘッド３は、その先端部分がカード通過溝２０ａの内部に突出してカード２の磁気ストライプ２ａに当接するように、基板２１を介してガイドブロック２０に取り付けられている。
【００２７】
カード通過溝２０ａは、カード２の短手幅方向の一端面（具体的には、奥端面）が当接する平面状の当接面２０ｂと、移動するカード２の左右両側を案内する２枚の平面状のガイド面２０ｃとから構成されている。すなわち、カード通過溝２０ａは、上下方向と左右方向とから構成されるＺＸ平面に平行でカード通過溝２０ａの奥端面となる当接面２０ｂと、前後方向と上下方向とから構成されるＹＺ平面に平行でカード通過溝２０ａの左端面、右端面となるガイド面２０ｃとから構成され、カード通過溝２０ａの前端および上下両端は開口している。また、カード通過溝２０ａは、上下方向を長手方向として形成されている。
【００２８】
カード通過溝２０ａは、スリット１５ａの奥側に配置されている。また、カード通過溝２０ａは、カード挿入口１５ｂの下側に配置されている。カード通過溝２０ａの深さ（前後方向の深さ）は、カード２の短手幅（前後方向の幅）よりも浅くなっており、カード通過溝２０ａを通過するカード２の短手幅方向の他端面側（前端面側）は、本体ケース６の外部に露出する。本形態では、カード２の磁気情報を再生する際に、ユーザは、本体ケース６の外部に露出するカード２の他端面側をつかんで、カード通過溝２０ａをカード２が通過するように、カード２を下方向に向かって移動させる。このとき、前後方向における磁気ヘッド３の位置と磁気ストライプ２ａとの位置を合わせるため、ユーザは、当接面２０ｂにカード２を押しつけながらカード２を移動させる。すなわち、当接面２０ｂは、前後方向における磁気ヘッド３の位置と磁気ストライプ２ａとの位置を合わせるための基準面となっている。
【００２９】
磁気情報再生部５は、磁気情報再生部４と同様に構成されている。そのため、磁気情報再生部５の詳細な説明は省略する。なお、磁気情報再生部５のカード通過溝２０ａは、スリット１６ａの奥側に配置されるとともに、カード挿入口１６ｂの下側に配置されている。
【００３０】
（カード保持部の構成）
図３は、図２に示すカード保持部８の構成を説明するための図であり、（Ａ）はカード保持溝部１５ｃ等の図示を省略した状態を示す正面図、（Ｂ）は球体２６および板バネ２７等の図示を省略した状態を示す正面図である。図４は、図２に示す球体２６とカード２との前後方向における関係を説明するための図である。図５は、図２に示す磁気ヘッド３、第１センサ２４および第２センサ２５の配置関係を説明するためのタイミングチャートである。
【００３１】
カード保持部８は、カードリーダ１内に奥端側が配置された状態のカード２を保持するカード保持機構２３と、カード２の位置を検出するための第１センサ２４および第２センサ２５とを備えている。
【００３２】
カード保持機構２３は、カード２を保持するためにカード２の一方の表面（左表面）に当接する回転部材としての球体２６と、球体２６をカード２に向かって付勢する付勢部材としての板バネ２７と、第１ケース体１５の下端側に形成されたカード保持溝部１５ｃとから構成されている。なお、図２では、カード保持溝部１５ｃの図示を省略している。
【００３３】
カード保持溝部１５ｃは、第１ケース体１５の下端側の前面から奥側に向かって突出するブロック状に形成されている。カード保持溝部１５ｃには、図３（Ｂ）に示すように、カード２の下端側が通過するとともにカード２を保持するための保持溝１５ｄが上下方向を長手方向として形成されている。保持溝１５ｄは、保持溝１５ｄの奥端となる奥端面１５ｅと、ＹＺ平面に平行で保持溝１５ｄの左端、右端となる左端面１５ｆ、右端面１５ｇと、保持溝１５ｄの下端となる下端面１５ｈとから構成され、保持溝１５ｄの前端および上端は開口している。
【００３４】
保持溝１５ｄは、スリット１５ａの奥側に形成されている。本形態では、左端面１５ｆの前端と右端面１５ｇの前端とによってスリット１５ａが形成されており、左端面１５ｆと右端面１５ｇとの間隔は、スリット１５ａの幅と同じになっている。また、保持溝１５ｄは、磁気情報再生部４のカード通過溝２０ａの下方に隣接配置されている。本形態では、保持溝１５ｄの深さ（前後方向の深さ）と、カード通過溝２０ａの深さ（前後方向の深さ）とがほぼ等しくなっており、保持溝１５ｄの中に奥端側が配置されているときのカード２の前端側は、本体ケース６の外部に露出している。
【００３５】
左端面１５ｆの下端側には、右側に向かってわずかに突出する突出平面部１５ｊが形成されている。同様に、右端面１５ｇの下端側には、左側に向かってわずかに突出する突出平面部１５ｋが形成されている。本形態では、突出平面部１５ｋは、後述のように、カード保持機構２３で保持されるカード２の右表面に当接する。すなわち、本形態の突出平面部１５ｋは、カード２の他方の表面に当接する当接壁部となっている。
【００３６】
板バネ２７は、図３（Ａ）に示すように、平板状のバネ部材が１８０°折り返されることで形成されており、略Ｕ型の曲面状に形成されている。板バネ２７の基端は、第１ケース体１５に固定されている。また、板バネ２７の先端側には、球体２６の左端側を保持する球体保持部２７ａが形成されている。球体保持部２７ａは、板バネ２７の表面から左方向に向かって窪む凹部であり、絞り加工によって形成されている。左右方向から見たときの球体保持部２７ａの形状は円形状となっている。
【００３７】
なお、本形態の板バネ２７は、略Ｕ型の曲面状に形成されているが、平面状に形成されても良い。ただし、板バネ２７が略Ｕ型の曲面状に形成されていると、小さなスペースで所定の付勢力を得ることが可能になる。
【００３８】
球体２６は、球体保持部２７ａの縁部に当接しており、球体保持部２７ａに回転可能に保持されている。球体保持部２７ａに保持された球体２６は、図３（Ａ）に示すように、左端面１５ｆ側から保持溝１５ｄの下端側の内部に突出するように配置されている。すなわち、左端面１５ｆには、球体保持部２７ａに保持された球体２６が入り込む孔（図示省略）が形成されており、球体保持部２７ａに保持された球体２６は、その孔に入り込んで、左端面１５ｆ側から保持溝１５ｄの内部に突出している。なお、左端面１５ｆに形成される孔は、球体保持部２７ａからの球体２６の外れを防止する抜け止めの機能を果たしており、挿入されたカード２が球体２６に接触しても、球体保持部２７ａから球体２６から外れないようになっている。
【００３９】
また、球体２６は、板バネ２７によって突出平面部１５ｋに向かって付勢されている。そのため、カード保持部８にカード２がない状態では、球体２６は突出平面部１５ｋに当接している。また、図４に示すように、球体保持部２７ａに保持された球体２６は、前後方向では、奥端面１５ｅに当接した状態のカード２の磁気ストライプ２ａに当接しない位置に配置されている。本形態では、前後方向におけるカード２の中心位置よりも奥側でカード２の表面に当接するように、球体２６が配置されている。
【００４０】
本形態では、カード２の下端面が保持溝１５ｄの下端面１５ｈに当接した状態で、板バネ２７に付勢された球体２６と突出平面部１５ｋとによってカード２が保持される。すなわち、カード保持部８でカード２が保持されているときには、板バネ２７の付勢力で、カード２の左表面に球体２６が当接し、カード２の右表面に突出平面部１５ｋが当接している。また、このときには、球体２６は、上下方向ではカード２の下端側に当接し、前後方向では奥端面１５ｅに当接した状態で保持されているカード２の磁気ストライプ２ａを避けた箇所に当接している。なお、このときには、カード２の前端側は、本体ケース６の外部に露出している。
【００４１】
第１センサ２４および第２センサ２５は、保持溝１５ｄを挟んで対向配置される発光素子と受光素子とを備える光学式のセンサである。第１センサ２４、第２センサ２５は、受光素子から発光素子に向かう光をカード２が遮ることを利用して、カード２の有無を検出する。
【００４２】
図２に示すように、第１センサ２４は、カード保持部８の上端側に配置され、第２センサ２５は、カード保持部８の下端側に配置されている。具体的には、図５に示すように、磁気ヘッド３による磁気情報の再生中に第１センサ２４がオフからオンに切り替わり（すなわち、第１センサ２４の発光素子と受光素子との間をカード２の下端側が遮り）、かつ、磁気ヘッド３による磁気情報の再生終了とほぼ同時に第２センサ２５がオフからオンに切り替わる（すなわち、第２センサ２４の発光素子と受光素子との間をカード２の下端側が遮る）ように、磁気ヘッド３、第１センサ２４および第２センサ２５が配置されている。また、磁気情報の再生が終了したときの第１センサ２４の状態がオンの状態であるように、磁気ヘッド３、第１センサ２４および第２センサ２５が配置されている。
【００４３】
なお、本形態では、図５に示すように、第１センサ２４がオンの状態を維持したままで、第２センサ２５がオフからオンに切り替わると、カードリーダ１の制御部は、カード保持部８にカード２が保持されていると認識する。
【００４４】
カード保持部９は、カード保持部８とほぼ同様に構成されている。すなわち、カード保持部９は、カードリーダ１内に奥端側が配置された状態のカード２を保持するカード保持機構２８と、カード２の位置を検出するための第１センサ２４および第２センサ２５とを備えている。カード保持機構２８は、図２に示すように、板バネ２７の取付方向および球体２６の付勢方向が異なっている点を除いてカード保持機構２３とほぼ同様に構成されている。そのため、カード保持部９の詳細な説明は省略する。なお、カード保持機構２８を構成する板バネ２７の基端は、第２ケース体１６に固定されている。
【００４５】
（カード保持機構の作用）
本形態では、ユーザは、カード挿入口１５ｂ、１６ｂからカード２の奥端側をカードリーダ１の内部に挿入し、下方向へカード２を移動させながら磁気情報再生部４、５でカード２の磁気情報を再生する。
【００４６】
また、ユーザは、磁気情報の再生後に、カードリーダ１内に奥端側が配置された状態のカード２をカードリーダ１で保持するため、カード２の下端面が保持溝１５ｄの下端面１５ｈに当接するカード保持位置まで磁気情報再生後のカード２をさらに下方向へ移動させる。カード保持位置では、カード２の下端側の左表面に球体２６が当接し、カード２の下端側の右表面に突出平面部１５ｋが当接しており、カード２は板バネ２７の付勢力で、球体２６と突出平面部１５ｋとによって保持されている。なお、カード２の移動時に、板バネ２７で付勢された球体２６がカード２の左表面に当接するが、球体２６は、球体保持部２７ａに回転可能に保持されているため、カード２の移動に伴って回転する。
【００４７】
また、カード保持位置で保持されたカード２をカードリーダ１から引き抜く際には、ユーザは、カード２を手前側に向かって移動させる。このとき、カード２の左表面に当接している球体２６は、カード２の移動に伴って回転する。
【００４８】
（本形態の主な効果）
以上説明したように、本形態のカードリーダ１は、磁気情報再生部４、５の下方に配置されるカード保持機構２３、２８を備えている。そのため、本形態では、スワイプ式のカードリーダ１であっても、磁気情報の再生後に、カードリーダ１内に奥端側が配置された状態のカード２をカードリーダ１で保持することができる。
【００４９】
また、カード保持機構２３、２８では、カード２の表面に当接してカード２を保持する球体２６がカード２の移動に伴って回転する。そのため、カード保持機構２３、２８でカード２を保持する際、および、カード保持機構２３、２８に保持されたカード２を引き抜く際に生じ得るカード２の傷の発生を抑制することができる。
【００５０】
特に本形態では、板バネ２７に付勢された球体２６でカード２を保持している。したがって、本形態のように、カード保持位置でカード２を保持するために球体２６に当接するカード２を下方向へ移動させ、かつ、カード２を引き抜くために球体２６に当接するカード２を前方向へ移動させる場合であっても（すなわち、球体２６に当接するカード２を様々な方向へ移動させる場合であっても）、カード２の傷の発生を抑制することができる。
【００５１】
また、球体２６と板バネ２７とを用いてカード２を保持しているため、カード保持機構２３、２８の構成を簡素化することができる。したがって、カード保持機構２３、２８を小型化することができ、カードリーダ１を小型化することができる。特に本形態では、カード２の両表面に球体２６を当接させるのではなく、カード２の一方の表面に球体２６を当接させ、カード２の他方の表面に突出平面部１５ｋを当接させている。そのため、カード保持機構２３、２８の構成をさらに簡素化することができる。
【００５２】
本形態では、２個のカード処理部１１、１２が左右方向で隣接するように配置されている。そのため、２個のカード処理部１１、１２で磁気情報の再生を行うことができ、カードリーダ１の使い勝手を向上させることができる。
【００５３】
本形態では、カード通過溝２０ａの長手方向が上下方向となるように配置されており、磁気情報の再生時のカード２の移動方向が下方向となっている。そのため、磁気情報再生時に、ユーザはカード２を一定速度で移動させやすくなる。したがって、本形態では、磁気情報再生時のエラー率を低減することができる。
【００５４】
（他の実施の形態）
上述した形態は、本発明の好適な形態の一例ではあるが、これに限定されるものではなく本発明の要旨を変更しない範囲において種々変形実施が可能である。
【００５５】
上述した形態では、板バネ２７によって球体２６がカード２に向かって付勢されている。この他にもたとえば、球体２６は、圧縮コイルバネ等の他のバネ部材やゴム等の弾性部材によってカード２に向かって付勢されても良い。また、上述した形態では、カード保持部８で保持されるカード２の右表面に突出平面部１５ｋが当接しているが、カード保持部８で保持されるカード２の右表面にも板バネ２７等の付勢部材によって付勢された球体２６が当接するように、カード保持機構２３、２８が構成されても良い。
【００５６】
上述した形態では、２個のカード処理部１１、１２が左右方向で隣接するように配置されている。この他にもたとえば、磁気情報再生部４、５およびカード保持部８、９を有する３個以上のカード処理部が左右方向で隣接するように配置されても良い。また、１個のカード処理部１１によって、カードリーダ１が構成されても良い。
【００５７】
上述した形態では、磁気情報再生時のカード２の移動方向は下方向である。この他にもたとえば、磁気情報再生時のカード２の移動方向が前後方向あるいは左右方向となるようにカードリーダ２が構成されても良い。
【００５８】
上述した形態では、板バネ２７に付勢された球体２６を用いてカード２を保持している。この他にもたとえば、カード２を保持するためにカード２に当接する回転部材として、球体２６に代えて、ローラを用いても良い。
【００５９】
この場合には、たとえば、図６に示すように、ローラ３６は、上下方向に直交する所定の方向を軸方向する軸３７を介してブラケット３８に回転可能に保持されている。また、ブラケット３８は、上下方向を軸方向とする軸３９を中心に回動可能となっている。そのため、カード保持位置に向かって下方向へ移動するカード２の表面に当接するローラ３６は、カード２の移動に伴って回転する。また、カード保持位置では、ローラ３６はカード２に当接してカード２を保持する。さらに、カード保持位置にあるカード２を手前側に引き抜く際には、ローラ３６はブラケット３８とともに手前側に回動する。なお、ブラケット３８は図示を省略するバネ部材等の付勢部材によって奥側に向かって付勢されており、カード２を引き抜く際に手前側に回動したブラケット３８は、カード２が引き抜かれると付勢部材の付勢力で奥側に向かって回動する。
【００６０】
また、球体２６に代えてローラ３６を用いる場合には、たとえば、図７に示すように、ローラ３６は、前後方向に直交する所定の方向を軸方向する軸３７を介してブラケット３８に回転可能に保持され、ブラケット３８は、前後方向を軸方向とする軸３９を中心に回動可能となっていても良い。この構成の場合には、図７に示すように、カード保持位置に向かって下方向へ移動するカード２の下端がローラ３６に当接すると、ブラケット３８とともにローラ３６が下側に回動し、カード保持位置では、ローラ３６がカード２の表面に当接してカード２を保持する。また、カード保持位置にあるカード２を手前側に引き抜く際には、カード２の表面に当接するローラ３６は、カード２の移動に伴って回転する。なお、ブラケット３８は図示を省略するバネ部材等の付勢部材によって上方向に付勢されており、カード２を引き抜く際に下側に回動したブラケット３８は、カード２が引き抜かれるとこの付勢部材の付勢力で上側に向かって回動する。
【００６１】
このように、球体２６に代えて、ローラ３６を用いる場合であっても、スワイプ式のカードリーダ１で、磁気情報の再生後に、カードリーダ１内に奥端側が配置された状態のカード２を保持することができるといった上述の効果、および、カード保持機構２３、２８でカード２を保持する際、および、カード保持機構２３、２８に保持されたカード２を引き抜く際に生じうるカード２の傷の発生を抑制することができるといった上述の効果を得ることができる。
【００６２】
上述した形態では、いわゆるスワイプ式のカードリーダ１を例に本発明の実施の形態を説明している。この他にもたとえば、カードリーダ内部にカード２を差し込む際、あるいは、カードリーダからカード２を引き抜く際に磁気データを再生するいわゆるディップ式のカードリーダに本発明の構成を適用して、このカードリーダ内でカード２を保持しても良い。
【００６３】
また、ディップ式のカードリーダであって、磁気ヘッドを備えていない接触式のＩＣカードリーダ（たとえば、特開平１１−２５９６０４号に記載されている接触式ＩＣカードリーダ）や非接触式のＩＣカードリーダに本発明の構成を適用して、このカードリーダ内でカード２を保持しても良い。なお、ＩＣカードリーダの場合には、カード２に記録された情報の再生に加え、カード２への情報の記録を行っても良いし、カード２に記録された情報の再生を行わずに、カード２への情報の記録のみを行っても良い。
【図面の簡単な説明】
【００６４】
【図１】本発明の実施の形態にかかる手動式カードリーダの斜視図である。
【図２】図１に示す手動式カードリーダの内部の構成を正面から示す図である。
【図３】図２に示すカード保持部の構成を説明するための図であり、（Ａ）はカード保持溝部等の図示を省略した状態を示す正面図、（Ｂ）は球体および板バネ等の図示を省略した状態を示す正面図である。
【図４】図２に示す球体とカードとの前後方向における関係を説明するための図である。
【図５】図２に示す磁気ヘッド、第１センサおよび第２センサとの配置関係を説明するためのタイミングチャートである。
【図６】本発明の他の実施の形態にかかるカード保持機構の概略構成を示す概略図である。
【図７】本発明の他の実施の形態にかかるカード保持機構の概略構成を示す概略図である。
【符号の説明】
【００６５】
１  カードリーダ（手動式カードリーダ）
２  カード（磁気カード）
２ａ  磁気ストライプ
３  磁気ヘッド
４、５  磁気情報再生部
８、９  カード保持部
１１、１２  カード処理部
１５ｋ  突出平面部（当接壁部）
２０ａ  カード通過溝
２０ｂ  当接面
２０ｃ  ガイド面
２３、２８  カード保持機構
２６  球体（回転部材）
２７  板バネ（付勢部材）
３６  ローラ（回転部材）
【図１】
2010015362.tif 000003
【図２】
2010015362.tif 000004
【図３】
2010015362.tif 000005
【図４】
2010015362.tif 000006
【図５】
2010015362.tif 000007
【図６】
2010015362.tif 000008
【図７】
2010015362.tif 000009